(57)【要約】【課題】改良された方向変更板は、動く際に両側のアームからの力を受け、受ける力が均一になり、動く際の安定性が効果的に確保される。【解決手段】本発明のダブルアーム式選別用電磁石は、第２駆動アセンブリ、方向変更板及び連動軸が取り付けられているケースを備え、前記第２駆動アセンブリが前記方向変更板を介して前記連動軸の回転を制御し、前記連動軸にレバーが取り付けられており、前記方向変更板の両側にアームがそれぞれ取り付けられており、前記アームは、一端が前記ケースにおけるブラケットにヒンジ連結され、他端が前記方向変更板に連結され、第１駆動アセンブリにより駆動されてその一端を支持点として上下動することで、前記方向変更板の昇降を制御して、前記方向変更板の２つの出力端と前記連動軸の２つの受入端との間の切換接合を実現する。【選択図】図１
2021510006.tif 000002
【特許請求の範囲】
【請求項１】
第２駆動アセンブリ、方向変更板及び連動軸が取り付けられているケースを備え、前記第２駆動アセンブリが前記方向変更板を介して前記連動軸の回転を制御し、前記連動軸にレバーが取り付けられているダブルアーム式選別用電磁石であって、
前記方向変更板の両側にアームがそれぞれ取り付けられており、前記アームは、一端が前記ケースにおけるブラケットにヒンジ連結され、他端が前記方向変更板に連結され、第１駆動アセンブリにより駆動されてその一端を支持点として上下動することで、前記方向変更板の昇降を制御して、前記方向変更板の２つの出力端と前記連動軸の２つの受入端との間の切換接合を実現することを特徴とするダブルアーム式選別用電磁石。
【請求項２】
前記第１駆動アセンブリは、アームとケースの底板とにそれぞれ設けられている第１磁石と、異なる方向の磁界を発生可能な第１コイルアセンブリとを備えることを特徴とする請求項１に記載のダブルアーム式選別用電磁石。
【請求項３】
前記方向変更板が前記ケースの底板の支持軸にブッシュを介して可動に取り付けられ、前記ブッシュにはアームの係合溝に係合する係止板が設けられていることを特徴とする請求項１に記載のダブルアーム式選別用電磁石。
【請求項４】
前記ブッシュには前記方向変更板の上昇を補助するためのスプリングが配置されていることを特徴とする請求項３に記載のダブルアーム式選別用電磁石。
【請求項５】
前記第２駆動アセンブリは、その伝達ピンを前記ブッシュの中空部に挿入することにより伝達を形成することを特徴とする請求項３に記載のダブルアーム式選別用電磁石。
【請求項６】
前記連動軸は、前記ケースの底板から突出し、外端には前記レバーが取り付けられており、内端には上下に配置されたピン孔、リングギヤが設けられて前記２つの受入端を形成し、前記方向変更板の２つの出力端が方向変更板の中間部のピン軸及び方向変更板の先端のラックであり、前記ピン孔が２つであり、前記２つのピン孔が前記連動軸の回転によりピン軸と切換嵌合されることを特徴とする請求項５に記載のダブルアーム式選別用電磁石。
【請求項７】
前記第２駆動アセンブリは、前記伝達ピンが設けられている駆動板と、第２コイルアセンブリとを備え、前記駆動板には磁界の向きが異なる２つの第２磁石が並んで固定され、向きが異なる磁界を発生させるための前記第２コイルアセンブリが前記駆動板の上方に懸架されており、前記第２コイルアセンブリが磁界を切り換えて前記２つの第２磁石と協働することにより、前記駆動板の動きを制御することを特徴とする請求項６に記載のダブルアーム式選別用電磁石。
【発明の詳細な説明】
【技術分野】
【０００１】
本発明は電磁石に関するものである。
【背景技術】
【０００２】
紙幣選別、紙葉類選別、薬品選別などの適用構造においていずれも電磁石を用いる必要があり、選別通路が多いため電磁石のレバーもそれに応じて複数の回転幅を有し、一般的には、方向変更板、連動軸が複数の伝達構造の間において切り換えることにより、異なる形態の接合を実現して回転レバーの動きの幅、角度を制御する。異なる伝達構造間の接合を切り換えることは、通常、方向変更板の動きを操作することによって実現されるが、従来の方向変更板を操作する構造は、１箇所で力を受けるものであり、方向変更板が受ける力の不均一によりその動き方向が傾斜しやくなるので、レバーの動きの安定性に影響を与えてしまう。したがって、このような電磁石を改良する必要がある。
【発明の概要】
【発明が解決しようとする課題】
【０００３】
本発明が解決しようとする技術的課題は、方向変更板の受ける力が均一となる、改良された電磁石を提供することである。
【課題を解決するための手段】
【０００４】
本発明は、技術的課題を解決するために以下の技術的手段を採用する。
【０００５】
第２駆動アセンブリ、方向変更板及び連動軸が取り付けられているケースを備え、前記第２駆動アセンブリが前記方向変更板を介して前記連動軸の回転を制御し、前記連動軸にレバーが取り付けられているダブルアーム式選別用電磁石であって、前記方向変更板の両側にアームがそれぞれ取り付けられており、前記アームは、一端が前記ケースにおけるブラケットにヒンジ連結され、他端が前記方向変更板に連結され、第１駆動アセンブリにより駆動されてその一端を支持点として上下動することで、前記方向変更板の昇降を制御して、前記方向変更板の２つの出力端と前記連動軸の２つの受入端との間の切換接合を実現する。
【０００６】
上述のダブルアーム式選別用電磁石において、前記第１駆動アセンブリは、アームとケースの底板とにそれぞれ設けられている第１磁石と、異なる方向の磁界を発生可能な第１コイルアセンブリとを備える。
【０００７】
上述のダブルアーム式選別用電磁石において、前記方向変更板が前記ケースの底板の支持軸にブッシュを介して可動に取り付けられ、前記ブッシュにはアームの係合溝に係合する係止板が設けられている。
【０００８】
上述のダブルアーム式選別用電磁石において、前記ブッシュには前記方向変更板の上昇を補助するためのスプリングが配置されている。
【０００９】
上述のダブルアーム式選別用電磁石において、前記第２駆動アセンブリは、その伝達ピンを前記ブッシュの中空部に挿入することにより伝達を形成する。
【００１０】
上述のダブルアーム式選別用電磁石において、前記連動軸は、前記ケースの底板から突出し、外端には前記レバーが取り付けられており、内端には上下に配置されたピン孔、リングギヤが設けられて前記２つの受入端を形成し、前記方向変更板の２つの出力端が方向変更板の中間部のピン軸及び方向変更板の先端のラックであり、前記ピン孔が２つであり、前記２つのピン孔が前記連動軸の回転によりピン軸と切換嵌合される。
【００１１】
上述のダブルアーム式選別用電磁石において、前記第２駆動アセンブリは、前記伝達ピンが設けられている駆動板と、第２コイルアセンブリとを備え、前記駆動板には磁界の向きが異なる２つの第２磁石が並んで固定され、向きが異なる磁界を発生させるための前記第２コイルアセンブリが前記駆動板の上方に懸架されており、前記第２コイルアセンブリが磁界を切り換えて前記２つの第２磁石と協働することにより、前記駆動板の動きを制御する。
【発明の効果】
【００１２】
改良された方向変更板は、動く際に両側のアームからの力を受け、受ける力が均一になり、動く際の安定性が効果的に確保される。
【図面の簡単な説明】
【００１３】
【図１】は本発明の一実施例の概略図である。
【図２】は本発明の一実施例の分解概略図である。
【図３】は本発明の一実施例の断面概略図である。
【図４】は本発明の一実施例の内部の部分構造概略図である。
【図５】は本発明の一実施例の駆動板、方向変更板の組立概略図である。
【図６】は本発明の一実施例の連動軸の概略図である。
【発明を実施するための形態】
【００１４】
以下、図面を参照しながら例示的で非制限的な方式で本発明の一部の具体的な実施例を詳細に説明し、図面における同じ符号は同様または類似する部材または部分を示す。当業者は、これらの図面が必ずしも寸法通りに描かれているわけではないことを理解するであろう。
【００１５】
本発明の実施例の目的、技術的手段及びメリットをより明確にするために、以下本発明の実施例の図面を参照しながら、本発明の実施例の技術的手段について明確で完全な説明を行う。説明した実施例はすべての実施例ではなく、本発明の一部の実施例であることは言うまでもない。
【００１６】
説明される本発明の実施例に基づき、当業者が創作的な労働を行うことなく得られるすべてのその他実施例は、いずれも本発明の保護範囲に属するものである。別の定義がない限り、本発明で用いた技術用語又は科学用語は、本発明が属する分野において通常の知識を有する者が理解し得る通常の意味である。
【００１７】
本発明で用いる「第１」、「第２」及び類似用語は順番、数量又は重要性を示すものではなく、異なる構成部分を区別するためのものである。同様に、「一つ」、「一」又は「該」などの類似用語は、数量の制限を示すものではなく、少なくとも一つ存在することを示すものである。「備える」又は「含む」などの類似用語は、当該用語が現れた前の要素又はモノが、当該用語が現れた後に挙げられた要素又はモノ及び同等物を包含することを指し、その他要素又はモノは排除する意味ではない。「連結」又は「接続」などの類似用語は、物理的又は機械的な連結に限定するのではなく、直接か間接かを関係なしに、電気的接続を含んでもよい。「上」、「下」、「左」、「右」などは、相対的位置関係を示すためのものであり、説明対象の絶対位置が変更されると、その相対的位置関係も対応的に変更することになる。
【００１８】
図１〜６に示されるように、ダブルアーム式選別用電磁石は、係合して組み立てられる上蓋１１及び底板１０を備えるケース１を備え、ケース１内に第２駆動アセンブリが取り付けられており、第２駆動アセンブリの出力端に方向変更板４が取り付けられており、方向変更板４が連動軸５と伝動連結され、連動軸５のシャフト部にねじ孔５０を介してレバー２が取り付けられ、第２駆動アセンブリが方向変更板４の回転を制御し、方向変更板４がその伝達出力端を介して連動軸５の伝達受入端と接合され、連動軸５の回転を制御することにより、レバー２の動きの幅、方向の制御を実現する。
【００１９】
方向変更板４の両側にアーム３がそれぞれ取り付けられており、前記アーム３は、一端が前記ケース１におけるブラケット９にヒンジ連結され、他端が前記方向変更板４に連結され、第１駆動アセンブリにより駆動されてその一端を支持点として上下動することで、前記方向変更板４の昇降を制御して、前記方向変更板４の２つの出力端と前記連動軸５の２つの受入端との間の切換接合を実現する。即ち、方向変更板４が上昇すると、その一方の出力端と連動軸５の一方の受入端とが接合されて両者間の伝達を実現し、方向変更板４が下降すると、その他方の出力端と連動軸５の他方の受入端とが接合されて両者間の伝達を実現する。方向変更板４は、両側がアーム３により力を加えられ、受ける力が均一になり、昇降中に傾斜しにくくなり、伝達接合全体の安定性及び精度が確保される。
【００２０】
ケース１の底板１０にブラケット９が固定され、ブラケット９の両側から横軸９０が横方向に延出しており、アーム３の一端は、対応する横軸９０が挿設された軸孔端３０である。アーム３の昇降には多くの駆動方法を選択することができ、本願における第１駆動アセンブリは、第１磁石３２と第１コイルアセンブリ３３との協働により実現され、第１磁石３２をアーム３の中間部に固定し、第１コイルアセンブリ３３をアーム３の下方のケース１の底板１０に対応して固定することができる。第１コイルアセンブリ３３は、対応する回路により電流の方向を切り換えて、異なる方向の磁界を発生させるが、第１磁石３２の磁界方向が固定されているため、第１コイルアセンブリ３３の磁界方向が切り換え可能であり、第１コイルアセンブリ３３の磁界と第１磁石３２との反発、吸引作用の切り替えが実現され、反発時にはアーム３が上昇し、吸引時にはアーム３が下降する。
【００２１】
方向変更板４は、ケース１の底板１０に設けられた支持軸８にブッシュを介して可動に取り付けられ、支持軸８に沿って回転して昇降することができ、ブッシュの外壁面の両側には、アーム３の他端の係合溝３１に係合する係止板４４が設けられている。好ましくは、ブッシュには、支持軸８に嵌合されてブッシュの下方に位置するスプリングが配置され、ブッシュが上昇時に抵抗が大きいため、スプリングの弾性力により上昇動作を効率的に行うことができる。
【００２２】
いくつかの実施例において、連動軸５のシャフト部は、前記ケース１の底板１０から突出し、露出部分にはレバー２を取り付けるためのねじ孔が設けられ、内蔵部分には方向変更板４と接合される２つの伝達受入端であるピン孔５２、リングギヤ５１が設けられ、ピン孔５２が２つであり、連動軸５の上面部の扇形板に離間して設けられるが、リングギヤ５１の位置が相対的に下方にあり、方向変更板４には方向変更板にピン軸４２、方向変更板の先端にラック４１が出力端として対応して設けられている。ピン軸４２とピン孔５２とが嵌合された場合に、連動軸５の回転幅が小さく、ラック４１とリングギヤ５１とが噛合された場合に、連動軸５の回転幅が大きく、これによってレバー２の複数の動き幅の制御が実現される。
【００２３】
方向変更板４が下降した場合には、ラック４１とリングギヤ５１とが噛み合い、第１駆動アセンブリが方向変更板４を回転させ、方向変更板４が連動軸５を回転させ、レバー２の動きが実現される。方向変更板４が上昇した場合には、ピン軸４２がピン孔５２に挿入されて伝達嵌合される。２つのピン孔５２間の切換は、方向変更板４が連動軸５を回転させることによって実現され、例えば、まずピン軸４２が一方のピン孔５２に嵌合されて連動軸５を回転させ、その後方向変更板４が下降してピン軸４２を離脱させ、下降した方向変更板４が、リングギヤ５１との噛合によって、ピン軸４２が他方のピン孔５２の位置に上下対応するまで連動軸５を引続き回転させ、このとき、方向変更板４が上昇すると該ピン孔５２に嵌合される。以上のように、方向変更板４の昇降により連動軸５と異なる伝達接合を形成し、さらに２つのピン孔５２とピン軸４２との切換嵌合により、連動軸５上のレバー２が複数の幅の回転を実現することが可能になる。
【００２４】
いくつかの実施例において、第２駆動アセンブリは、駆動板６と第２コイルアセンブリ７とを備え、駆動板６が支持軸８に回転可能に取り付けられ、駆動板６に伝達ピン６１が設けられ、伝達ピン６１が下方へ延びてブッシュの中空部４３に挿入されている。駆動板６には磁界の向きが異なる２つの第２磁石６０が並んで固定され、例えば、一方の上向きの磁界方向がＳ極であり、他方の上向きの磁界方向がＮ極である。駆動板６の上方に第２コイルアセンブリ７が懸架されており、第２コイルアセンブリ７を上蓋１１の内壁に固定することができる。使用時に、第２コイルアセンブリ７が回路に接続され、回路により第２コイルアセンブリ７における電流の方向が切り換えられて、磁界方向の切換が実現される。例えば、第２コイルアセンブリ７により発生された磁界の下端がＳ極である場合に、駆動板６におけるＳ極が上向きの第２磁石６０と反発し、他方の第２磁石６０と吸引し、磁界力の作用により駆動板６が回転し、第２コイルアセンブリ７の電流が切り換えられると、磁界力の作用が逆となり、駆動板６が逆転する。駆動板６の回転が伝達ピン６１、中空部４３を介して方向変更板４に伝達されることにより、方向変更板４を回転させる。コイルアセンブリに通電して磁界を発生させることと、電流の方向を切り換えて異なる方向の磁界を発生させることはいずれも従来技術に属し、本明細書では説明を省略する。
【００２５】
以上の記載は本発明の好ましい実施形態であって、本発明を限定するためのものではない。当業者にとって、本発明には様々な変更、組み合わせ及び変形があってもよい。本発明の精神や原則内でなされたすべての修正、同等な置換、改良などは、いずれも本発明の請求の範囲に含まれるものである。
【符号の説明】
【００２６】
１  ケース
１０  底板
１１  上蓋
２  レバー
３  アーム
３０  軸孔端
３１  係合溝
３２  第１磁石
３３  第１コイルアセンブリ
４  方向変更板
４１  ラック
４２  ピン軸
４３  中空部
４４  係止板
５  連動軸
５０  ねじ孔
５１  リングギヤ
５２  ピン孔
６  駆動板
６０  第２磁石
６１  伝達ピン
７  第２コイルアセンブリ
８  支持軸
９  ブラケット
９０  横軸
【図１】
2021510006.tif 000003
【図２】
2021510006.tif 000004
【図３】
2021510006.tif 000005
【図４】
2021510006.tif 000006
【図５】
2021510006.tif 000007
【図６】
2021510006.tif 000008
【国際調査報告】
2021510006.tif 000009
2021510006.tif 000010
2021510006.tif 000011
2021510006.tif 000012